(57)【特許請求の範囲】
【請求項１】
材料の流れる方向で見て、ローミール（生原料、rohmehl）（2）を脱酸するための少なくとも一つの仮焼炉（3）と、脱酸されたローミール（2）を焼結してセメントクリンカーを形成するための少なくとも一つのロータリーキルン（4）とを有し、脱酸されたローミール（2）は仮焼炉（3）を通った後にサイクロン予熱段階（1.4）を介してロータリーキルン（4）へ流れ、仮焼炉（3）とロータリーキルン（4）との間に反応装置（7）が配置され、ロータリーキルン（4）からの排気ガス（6）は上記反応装置（7）へ案内され、ローミール（2）からセメントクリンカー（5）を製造するためのプラント（1）の運転方法であって、
流動化されたローミールが反応装置（7）へ案内され且つサイクロンで捕捉（トラップ）濾過されないように、ロータリーキルン（4）からの排気ガス（6）を案内し、
反応装置（7）中には反応装置内（7）中での排気ガス（6）の滞留時間に対して化学量論量以上の燃料（8）が供給して、排気ガス（6）中に含まれる二酸化炭素（ＣＯ2）を一酸化炭素（ＣＯ）に還元し、この燃料（8）の添加によって反応装置（7）中の温度を制御し、燃料（8）からの炭素（Ｃ）によって一酸化炭素（ＣＯ）を形成するブードワ反応の二酸化炭素（ＣＯ2）の吸熱還元によって反応装置（7）中の温度を下げる、
ことを特徴とする方法。
【請求項２】
反応装置（7）の排気ガス（9）を仮焼炉（3）に案内し、予熱された空気（11）を供給する三次空気ライン（10）からの大気中の酸素（Ｏ2）によって仮焼炉（3）中で過剰な一酸化炭素（ＣＯ）を酸化する請求項１に記載の方法。
【請求項３】
酸化窒素（ＮＯｘ）を含むロータリーキルン（4）から来る排気ガス（6）を一酸化炭素（ＣＯ）によって還元するのに十分な寸法を反応装置（7）が有する請求項１または２に記載の方法
【請求項４】
ロータリーキルン（4）中で酸素過剰度が高い空気で燃料を燃焼させる請求項１〜３のいずれか一項に記載の方法。
【請求項５】
ロータリーキルン（4）から反応装置（7）への供給ライン（13）および三次空気ライン（10）でフラップシステム（12）を用いて反応装置（7）中の排ガス量を制御し、この制御装置を用いてロータリーキルン（4）の下流に結合されたクリンカー冷却機（14）から来る全空気量を配分し、反応装置（7）中での酸化窒素（ＮＯｘ）の還元が可能最大になるように、ロータリーキルン（4）からの排気ガス（6）の滞在時間を十分に長くする請求項１〜４のいずれか一項に記載の方法。
【請求項６】
ローミール（2）を導入することで反応装置（7）中の望ましくなく高い温度ピークを冷却し、反応装置（7）からの過剰なローミール（2）は排出装置（15）を介して、ロータリーキルン（4）と仮焼炉（3）との間に配置されたロータリーキルン取り入れ室（16）へ排出する請求項１〜５のいずれか一項に記載の方法。
【請求項７】
過剰な燃料（8）および／またはローミール（2）を反応装置（7）から、ロータリーキルン（4）と仮焼炉（3）との間に配置されたロータリーキルンの上記取入れ室（16）へ排出する請求項１〜６のいずれか一項に記載の方法。
【請求項８】
反応装置（7）がポット反応装置または逆Ｕ字形グーズネック反応装置である請求項１〜７のいずれか一項に記載の方法。
【請求項９】
材料の流れる方向で見て、ローミール（rohmehl）（2）を脱酸するための少なくとも一つの仮焼炉（3）と、脱酸されたローミール（2）を焼結してセメントクリンカーを形成するための少なくとも一つのロータリーキルン（4）とを有し、脱酸されたローミール（2）は仮焼炉（3）を通った後にサイクロン予熱段階（1.4）を介してロータリーキルン（4）へ流れ、仮焼炉（3）とロータリーキルン（4）との間に反応装置（7）が配置され、ロータリーキルン（4）からの排気ガス（6）が上記反応装置（7）へ案内される、ローミール（2）からセメントクリンカー（5）を製造するためのプラント（1）であって、
反応装置（7）への脱酸されたローミール（2）の供給がロータリーキルン（4）中で流動化され且つ排気ガス（6）に随伴させたローミールを用いて行なわれ、このローミールはサイクロンでトラップ濾過されず、
反応装置（7）中の温度は反応装置（7）に化学量論量以上の燃料（8）を添加することで制御し、燃料（8）の炭素（Ｃ）によって一酸化炭素（ＣＯ）を形成するブードワ反応の二酸化炭素（ＣＯ2）の吸熱還元によって反応装置（7）中の温度を下げる、
ことを特徴とするプラント（1）。
【発明の詳細な説明】
【技術分野】
【０００１】
本発明は、セメントクリンカーの製造プラントの運転方法に関するものであり、材料の流れる方向に見て、ローミール（生食料、rohmehl）を脱酸（entsauerten）するための仮焼炉と、脱酸されたローミールを焼成してセメントクリンカーにするための少なくとも１つのロータリーキルンとを有し、脱酸処理されたローミールは仮焼炉からロータリーキルンへ流れる。
【背景技術】
【０００２】
セメントクリンカーを製造する際には、石灰岩と珪酸塩岩との混合物を粉砕し、熱処理して二酸化炭素（ＣＯ2）が放出させ、生石灰（ＣａＯ）に変える。さらなる段階でローミール（rohmehl）からＣＯ2を放出して脱酸処理し、この点まで未変化であった石灰岩と珪酸塩岩とを熱で焼結して各種のカルシウムシリケート相（calciumsilikatphasen）を形成させる。
【０００３】
ローミールの脱酸および焼結は吸熱プロセスであり、その反応にはエネルギーが必要である。この熱エネルギーは高品質燃料から得ることができる。従来の主たる燃料（プライマリ燃料）である例えば石炭の外に、コストの面から代替燃料を使用することが増えており、代替燃料として都市ゴミや産業廃棄物を使用するセメント工場も増えている。
【０００４】
高品質燃料および代替燃料は燃焼によってプロセスに熱を与えると同時に多量の窒素酸化物（ＮＯx）を生じさせる。上記タイプの熱処理ではロータリーキルン中で焼結させる必要があり、カルシウムシリケート相まで焼結させるためにはロータリーキルン内の温度を少なくとも１４５０℃まで高くすることが必要である。ロータリーキルン内を高温にするためには火炎温度を１８００℃にする必要がある。しかし、この高温度では燃焼によって燃料中の窒素（一般にアミノの形）および燃焼空気中の窒素から窒素酸化物（ＮＯｘ）が生じる。窒素酸化物の発生を避ける対策をしない場合には、ロータリーキルンからの廃棄ガス中の窒素酸化物が環境へ漏れ、それが環境中の湿度によって加水分解されて硝酸（ＨＮＯ3）、亜硝酸（亜硝酸）、その他の反応性酸性窒素酸化物が形成される。窒素酸化物（ＮＯｘ）は大気中の水と反応して望ましくない酸性雨の原因となり、森林土壌の天然ｐＨ値を低下させ、病気に対する抵抗力を弱くする。セメント工場から出る窒素酸化物（ΝΟx）の量を減らすための方法はいくつか知られている。
【０００５】
特許文献１（ドイツ特許第10 2005 057 346 A1号公報)に記載のセメント製造プラントでは、仮焼炉の近傍に燃焼室を設け、この燃焼室に燃焼空気として三次空気（Tertiarluft）を供給し、燃焼室中で発生する排気ガスの還元特性を正確に制御してロータリーキルンから仮焼炉へ入る窒素酸化物を減らしている。この方法の欠点は仮焼炉中でのローミールの脱酸化と仮焼炉中での窒素酸化物の還元との望ましい化学平衡の温度が異なるため、脱酸と窒素酸化物の還元とが互いに干渉してしまうことにある。
【０００６】
特許文献２(ドイツ特許第P3538707 A1号公報）では仮焼炉中に互いに隣接したガス房（gasstrahne）の形をした２つの反応セクションを有し、第１のガス房はロータリーキルンから仮焼炉へ流れ、それに隣接したガス房は三次空気の第２供給路からロータリーキルンへ流れる。各ガス房は互いに異なる還元能を有し、三次空気からのガス房はロータリーキルンからガス房中の窒素酸化物を減少させる。この特許の説明によると、窒素酸化物の燃焼に使える時間は短いため、仮焼炉中の流動条件の制御を極めて高くすることが要求される。しかし、焼結炉内の流動特性は運転パラメータを変えた時に大きく変化し、その運転モードが最適とは限らない。
【０００７】
特許文献３(ドイツ特許第19903954 A1号公報)にも上記と類似の原理が記載されており、生成ガスの酸化還元ポテンシャルを設定するための反応装置が三次空気セクション中にある。この特許の運転モードでは仮焼炉中の流れ状態の制御に高いニーズを置いている。しかし、仮焼炉中の流れ状態はプラントの運転パラメターをわずかに変えただけでも変化するので、この特許の運転モードも常に最適なものとはいえない。
【０００８】
特許文献４(ドイツ特許第19962536 A1号公報)には頂部に空気を供給する仮焼炉が記載されている。この仮焼炉では燃焼が段階的に実施され、燃焼セクションの内部で形成された一酸化炭素（ＣＯ）によって窒素酸化物（ＮＯｘ）が減少する。プラントからの排気ガス中に一酸化炭素が入るのを避けると同時に窒素酸化物の減少度合いを改善するために、この特許では焼却セクションで測定した排気ガスのパラメターに応じて還元剤および／または触媒を注入する。
【０００９】
特許文献５(欧州特許第EP1334954 B1号公報)に記載のロータリーキルンでは、クリンカー焼成用に設けられた既存のロータリーキルンの他に、セメント、炭化粗粒、塊状燃料を生産するプラントが設けられる。炭化で生じた熱分解ガスおよび加熱空気を仮焼炉中に吹き込んで、仮焼炉中で行われる脱酸用の熱供給をアシストする。比較的少ない空気の供給で炭化ガスは還元効果を有するので、仮焼炉中での窒素酸化物を減らすことができる。しかし、第２のロータリーキルンを運転するには設備コストが高くなり、高温状態下にある機構を常にモニターする必要がある。
【００１０】
特許文献６(ドイツ特許第3533775 C1号公報)にはカロリー価の高い廃棄物を使用してローミールからセメントを製造するプラントが記載されている。この特許では二次燃料として使用する廃棄物を乾燥した後、仮焼炉中で熱処理する。仮焼炉は熱分解のためと、少なくとも部分燃焼のために、ロータリーキルンの排気ガスおよび三次空気の一部で運転される。燃焼の熱分解ガスは仮焼炉中に導入され、固体の熱分解残さの少なくとも一部は調整／均質化後にロータリーキルンへ導入される。この場合、炭化炉をロータリーキルンとして使うこともできる。
【００１１】
特許文献７(ドイツ特許第A 3320670号公報)、特許文献８(ドイツ特許第A 341144号公報)および文献９(ドイツ特許第A 35204470号公報)にもカロリー価の高い廃棄物を使用してローミールからセメントを製造するプラントが記載されており、廃棄物は第２のロータリーキルンで炭化または燃焼され、このローミールの加熱処理中の炭化ガス／排気ガスが利用される。
【００１２】
上記の全ての公知のプラントおよび方法は、仮焼炉で脱酸すべきローミールの存在下にロータリーキルンの排気ガスを化学還元するものである。しかし、この方法には停留時間が短く、脱酸反応と干渉し、流れ条件に高い制御が要求されるという欠点がある。仮焼炉中のほぼ同じ場所で同時に起こる異なる反応に必要な複数の温度幅（ウインドウ）を作るのは困難である。ローミールに含まれる炭酸カルシウム（ＣａＣＯ3）を脱酸して生石灰（ＣａＯ）を形成する温度は成層燃焼中に脱硝するのに理想的な温度幅より低い温度である。また、一酸化炭素（ＣＯ）を発生させるための温度幅は脱脱硝用の温度幅とは異なる。
【００１３】
脱硝すなわち窒素酸化物（ＮＯｘ）を還元して元素状の窒素（Ｎ）と酸素（Ｏ2）に戻す反応は脱硝すべき排気ガス中のガス組成に依存するということは知られている。ＣＯ2濃度が増加すると脱硝効果は急速に低下する。逆に、脱硝すべき排気ガス中の一酸化炭素（ＣＯ）濃度が高くなると脱硝効果は増加する。二酸化炭素（ＣＯ2）と一酸化炭素（ＣＯ）の濃度は高温排気ガス中で気化平衡にある。従って、空気窒素といわれる酸化窒素成分が多いロータリーキルンの排気ガスの組成をより良く制御するのが望ましく、ロータリーキルンの排気ガスを直ちに捨てるのではなく、ローミールの脱酸に利用するのが望ましい。
【先行技術文献】
【特許文献】
【００１４】
【特許文献１】ドイツ特許第102005057346 A1号公報
【特許文献２】ドイツ特許第P3538707 A1号公報
【特許文献３】ドイツ特許第19903954 A1号公報
【特許文献４】ドイツ特許第19962536 A1号公報
【特許文献５】欧州特許第EP1334954 B1号公報
【特許文献６】ドイツ特許第3533775 C1号公報
【特許文献７】ドイツ特許第A 3320670号公報
【特許文献８】ドイツ特許第A 341144号公
【特許文献９】ドイツ特許第A 35204470号公報
【発明の概要】
【発明が解決しようとする課題】
【００１５】
本発明の目的は、脱硝をより良く制御することができるセメント製造プラントの運転方法を提供することにある。
【課題を解決するための手段】
【００１６】
本発明の上記目的は、仮焼炉とロータリーキルンとの間に配置された反応装置にロータリーキルンからの排気ガスを案内し、反応装置へは反応装置内での排気ガスの滞留時間に対して化学量論量以上の燃料を供給して、排気ガス中に含まれる二酸化炭素（ＣＯ2）を一酸化炭素（ＣＯ）に還元することで達成される。
【００１７】
本発明の上記以外の利点は請求項１に従属する他の請求項に記載されている。
【図面の簡単な説明】
【００１８】
【図１】本発明のセメントクリンカー製造プラントの図。
【発明を実施するための形態】
【００１９】
本発明が提供するローミール（2）からセメントクリンカーを製造するためのプラントの運転方法では、材料の流れる方向で見て、ローミール（rohmehl）を脱酸（deacidification）するための少なくとも一つの仮焼炉と、脱酸されたローミール（2）を焼結してセメントクリンカーを形成するための少なくとも一つのロータリーキルンとを有し、脱酸されたローミールは仮焼炉を通った後にサイクロン予熱段階を介してロータリーキルンへ流れる。仮焼炉とロータリーキルンとの間には反応装置が配置され、ロータリーキルンからの排気ガスが上記反応装置へ案内され、反応装置へは反応装置中での排気ガスの滞留時間に対して化学量論量以上の燃料を供給して、排気ガス中に含まれる二酸化炭素（ＣＯ2）を一酸化炭素（ＣＯ）に還元する。
【００２０】
本発明の思想では、セメントクリンカーを製造するためのプラントの従来の技術とは異なって、ロータリーキルンからの排気ガスを仮焼炉へ直接案内しない。すなわち、従来の技術では排気ガスはローミールを随伴しながらローミールを脱酸させ、それと同時に排気ガス中の酸化窒素（ΝΟx）は仮焼炉中の段階的燃焼によって形成された一酸化炭素（ＣＯ）によって還元される。しかし、本発明ではローミールは予熱段階の最終サイクロン段階からのローミール供給ラインを介してロータリーキルンへ供給される。本発明の観念では、ロータリーキルン取入れ室からの排気ガスはその排気ガスを分離するためのチャンネルまたはラインを介して最初に反応装置へ流れる。その後に、排気ガスは仮焼炉へ導かれ、ローミールを酸性化する。反応装置はロータリーキルン取入れ室より高い所でロータリーキルンと仮焼炉の底部との間に設置するのが好ましい。反応装置にはブードワ（Boudouard）反応およびロータリーキルン排気ガス中に存在する二酸化炭素（ＣＯ2）に対して化学量論量以上の燃料が加えられる。反応装置中の基本的反応は例えばロータリーキルン排気ガス中の残留酸素による燃料の燃焼のような反応と決まっておらず、むしろ吸熱ブードワ反応である。この場合、排気ガス中に２５％まで含まれる二酸化炭素（ＣＯ2）が燃料の炭素（Ｃ）と反応して一酸化炭素（ＣＯ）を形成する。すなわち、燃料は二酸化炭素（ＣＯ2）によって熱酸化され、燃料からの炭素（Ｃ）は酸化されて一酸化炭素（ＣＯ）が形成され、二酸化炭素（ＣＯ2）自体も燃料の燃焼中に還元されて一酸化炭素（ＣＯ）を形成する。公知のブードワ反応のこの反応過程は吸熱反応である。ロータリーキルン排気ガスの温度は非常に高いので、上記の吸熱反応による熱吸収によって温度が低下することは歓迎すべきことでる。事実、二酸化炭素（ＣＯ2）の一酸化炭素（ＣＯ）への転換反応の速度は低温度の方が好ましく、ロータリーキルン排気ガスが増加すると一酸化炭素（ＣＯ）が増える。ロータリーキルンの排気ガス中に含まれる二酸化炭素（ＣＯ2）の反応装置中での転換を分けて実行することで、、ローミールの脱酸反応と、二酸化炭素（ＣＯ2）の一酸化炭素（ＣＯ）への還元と、形成された一酸化炭素（ＣＯ）による酸化窒素（ＮＯｘ）を元素窒素（Ｎ2）と元素酸素式（Ｏ2）へ還元する反応とを同時に行う場合と比較して、反応制御をより良くできるという利点がある。
【００２１】
ブードワ（Boudouard）反応は吸熱反応であるので、ロータリーキルンの排気ガスの温度とは反対の作用をするので、燃料の添加によって反応装置の温度を制御することができ、反応装置の望ましくない温度上昇を避けることができ、燃料添加によって窒素酸化物（ＮＯｘ）がさらに増えるのを避けることができる。本発明の実施例では化学量燐量以上の燃料を添加して反応装置の温度をコントロールする。燃料からの炭素（Ｃ）による二酸化炭素（ＣＯ2）の吸熱反応時のブードワ反応によって反応装置の温度は低下する。脱硝は酸化カルシウム（ＣａＯ）の存在で触媒されることが知られているので、本発明の一つの実施例では、脱酸されたローミールの一定量を反応装置へ常に供給して、反応装置中で起こる脱硝反応を触媒的にアシストする。この脱酸されたローミールの供給は、ロータリーキルン中で排気ガスと一緒に渦巻き状に髄伴したローミールで与えることができる。そのために、渦巻き状に髄伴したローミールが反応装置に入り、サイクロンによるトラップで濾別されないようにロータリーキルンからの排気ガスを案内する。あるいは／またはそれに追加して、最下段または第２最下部のサイクロン予熱段から新しく脱酸されたローミールを供給することもできる。
【００２２】
窒素酸化物（ＮＯｘ）を還元する一酸化炭素（ＣＯ）の量が過剰であるので、反応装置の排気ガス中には残った一酸化炭素（ＣＯ）が存在する。本発明のさらに他の実施例では、仮焼炉に三次空気を供給する。この三次空気はクリンカー冷却機で加熱された大気空気の約１８体積％の酸素（Ｏ2）を含む。この大気酸素（Ｏ2）を仮焼炉で上記の残りの一酸化炭素（ＣＯ）の発熱酸化に用いることができる。仮焼炉中での一酸化炭素の発熱燃焼は空気窒素が燃焼して窒素酸化物（ＮＯｘ）となる温度より低いので、吸熱の脱酸反応に必要な熱量を仮焼炉に供給する。本発明の一つの実施例では、反応装置から仮焼炉への排気ガスを案内し、仮焼炉中で過剰な一酸化炭素（ＣＯ）を三次空気チインからの大気酸素（Ｏ2）で酸化する。仮焼炉には予熱した空気を供給する。
【００２３】
反応装置は理想的な燃焼制御ができるような寸法にするのが有利である。本発明の一つの実施例では、フラップ（弁）システムによって反応装置を通って案内される空気の量を制御しても、ロータリーキルンから来る窒素酸化物（ＮＯｘ）を含む排気ガスが形成された一酸化炭素（ＣＯ）によって還元されるのに十分な大きさを有している。すなわち、反応装置は、ロータリーキルンからの排ガス中に含まれる窒素酸化物（ＮＯｘ）が可能性な限り完全に還元されるまで、通常運転中にロータリーキルンから反応装置に入る排ガスが反応装置中に留まることができるだけの大きさを有している。この寸法でもわずかな（ＮＯｘ）の発生は避けられないが、低濃度の窒素酸化物（ＮＯｘ）は反応装置の後の仮焼セクションでさらに還元できる。
【００２４】
本発明方法では、ロータリーキルンの中で酸素過剰度の高い空気で燃料を燃焼できるのが有利である。ロータリーキルン中では複雑な熱固相反応が起こり、そのために異なる化学量論量の珪酸カルシウム相混合物から酸化環境を作る必要がある。さらに、酸素過剰度の高い空気での燃焼方法として一次燃料として燃焼し難い燃料、例えば石油コークス（petcoke）を使用することもできる。
【００２５】
本発明の一実施例では、反応装置中での排気ガスの滞留時間を制御または調整するために、反応装置中の排気ガスの量をロータリーキルンから反応装置へ向かう供給ライン中および三次空気ライン中のフラップシステムで制御または調整する。ロータリーキルンの下流に結合されたクリンカ冷却機からの全空気量を半分する調整ユニットが設けられ、反応装置中で酸化窒素（ＮＯｘ）の還元が可能最大となるようにロータリーキルンからの排気ガスの反応装置中での滞留時間を十分に長くする。三次空気流のためにロータリーキルンからの二次空気流の量を減らすオプションでは、反応装置中の排気ガスの滞留時間を増加させて、ロータリーキルンからの排気ガス中に含まれる酸化窒素（ＮＯｘ）と反応装置中の一酸化炭素濃度との反応時間をより長くする。
【００２６】
不規則燃焼する燃料の場合や、運転パラメータが変動する場合には、反応装置中の温度を燃料供給によって調節しても、反応装置内が突然過熱されることがある。こうした過熱が起こった場合、酸化窒素（ＮＯｘ）は減らずに生成する。反応装置からこうした短期的な酸化窒素（ＮＯｘ）の放出を避けるために、本発明の一つの実施例では、石灰岩および珪酸塩を含む岩からなる上記混合物からのローミールを反応装置の反応室中に吹き込む。この場合、過熱が極めて突然且つ強い場合、脱酸されていないローミールを使用することもでき、突然の過熱が過度に強くない場合には、既に部分的に脱酸されているか予熱されたローミールを使用することができる。本発明の1つの有利な実施例では、反応装置の望ましくなく高温ピークをローミールの導入によって冷却する。反応装置からの過剰なローミールは取出し装置を介してロータリーキルンと仮焼炉との間に配置されたロータリーキルン取入れ室に排出される。ロータリーキルン取入れ室に排出することで反応装置が閉塞するのを防ぐことができる。このローミールは次いでロータリーキルン中で脱酸され、焼結されてクリンカーが形成される。
【００２７】
供給された燃料の燃焼が極めて貧しいか、スラグを形成する場合には、反応装置中に固体として沈下する燃料残さを、反応装置を冷却するためのローミールの残りと同じラインを介してロータリーキルン取入れ室中へ排出することができる。本発明の有利な実施例では、ロータリーキルンと仮焼炉との間にロータリーキルン取入れ室を設け、そこへ過剰な燃料を排出する。
【００２８】
本発明方法を実行するにはロータリーキルンから予想される排気ガスの滞留時間に必要な対応する体積を有するポット反応装置が適している。あるいは、仮焼炉とロータリーキルンとの間に逆Ｕ字形のグーズネック反応装置を使用することもできる。
以下、添付図面を参照して本発明の実施例を説明する。
【実施例】
【００２９】
［図1］は本発明のローミール（rohmehls）（2）からセメントクリンカーを製造するプラントを示す図で、材料の流れる方向から見て、ローミール（2）を脱酸するための少なくとも1つの仮焼炉（3）と、脱酸されたローミール（2）を焼結させてセメントクリンカー（5）にするロータリーキルン（4）とを有し、脱酸されたローミール（2）は仮焼炉（3）を介してサイクロン予熱段階（1.4）を通ってからロータリーキルン（4）へ送られる。最初に、ローミール（2）を熱交換器（1.1）に送る。熱交換器（1.1）でローミール（2）は予熱され、脱酸される。予熱されたローミール（2）は第２最下部のサイクロン予備段（1.2）からライン（1.3）を介して仮焼炉（3）の底部に流れる。仮焼炉（3）ではローミール（2）は反応装置（7）から来るホットな排気ガス（9）に随伴され、仮焼炉中で排気ガス（9）の熱で脱酸（deacidified）される。この場合に生じるＣＯ2は熱交換器（1.1）を通して排出される。一方、脱酸されたローミール（2）は最下段のサイクロン予熱段（1.4）で分離され、分離ライン（1.5）を通ってロータリーキルン取入れ室（16）中に導入され、それからロータリーキルン（4）中に流れてさらに熱処理される。
【００３０】
燃料の燃焼によってロータリーキルン（4）中に生じた排気ガス（6）は別の排気ライン（13）を通って反応装置（7）に送られる。排気ガス（6）は反応装置（7）中に滞在し、添加された化学量論量以上の燃料（8）でブードワ反応を受ける。この場合、ロータリーキルン（4）の燃焼で生じた二酸化炭素（ＣＯ2）は、燃料（8）の炭素（Ｃ）によって化学的に還元されて一酸化炭素（ＣＯ）を形成する。このブードワ反応は燃料（8）の添加量で熱的に管理できる。すなわち、燃料供給を増やすとブードワ反応は冷却される。脱窒素は反応装置（7）中に一酸化炭素が生じた後に起こり、実質的に反応装置（7）中で起こるという利点がある。反応装置（7）から出た排気ガス（9）は別の供給ライン（9.1）を通して仮焼炉（3）へ送られる。ローミール（2）は反応装置（7）の排気ガス（9）に含まれる熱で脱酸される。酸化窒素製造に関して、反応装置から排気ガスの他に仮焼炉（3）中での追加の燃料の燃焼をオプション制御するために、三次空気ライン（10）を通して仮焼炉（3）に三次空気（11）を供給する。反応装置（7）の排気ガス（9）中の一酸化炭素濃度が高いので、仮焼炉（３）中で生じる酸化窒素は確実に化学還元される。
【００３１】
フラップ（弁）システム（12）は仮焼炉（3）および反応装置（7）に流れるガス量を制御するために設けてある。このフラップ・システム（12）は二次空気の形をしたクリンカ冷却機（14）からロータリーキルン（4）を介して流れるガスおよび三次空気（11）の形をした三次空気ライン（10）中を流れるガスの量を単位時間当たりの各種部分流量へ配分する。従って、反応装置（7）に供給される排気ガス量をモニターしで、反応装置（7）からの排気ガス（9）の排気組成物を所定組成にすることができる。
【００３２】
本発明の観念は、ロータリーキルン（4）の排気ガス（6）をロータリーキルン取入れ室（16）を介して仮焼炉（3）に直接に案内しないということである。仮焼炉（3）で排気ガス（6）中の高い酸化窒素濃度を短い仮焼炉セクションで還元しなければならないということではなく、ロータリーキルン（4）からの排気ガス（6）中の二酸化炭素（ＣＯ2）を反応装置（7）中で最初に還元して一酸化炭素（ＣＯ）を作る。反応装置（7）ではブードワ反応によって十分な一酸化炭素（ＣＯ）を発生させ、ロータリーキルン（4）の排気ガス（6）中の高い酸化窒素濃度を実質的に反応装置で化学的還元する。そして、その後に排気ガスを仮焼炉（3）に送り、過剰な一酸化炭素（ＣＯ）をローミール（2）を脱酸させるための熱を発生させるための燃料ガスとして使用する。反応装置（7）の反応を生石灰（ＣａＯ）を使用して触媒アシストするために、ローミールライン（17）を介して第２最下段サイクロン予熱段（1.2）から反応装置（7）に予熱したローミールを送ることもできる。
【符号の説明】
【００３３】
1  プラント
1.1  熱交換器
2  ローミール（生食料，rohmehl）
3  仮焼炉
4  ロータリーキルン
5  セメントクリンカー
6  排気ガス
7  反応装置
8  燃料
9  排気ガス
9.1  供給ライン
10  三次空気ライン 
11  燃料
12  フラップシステム
13  排気ガスライン
14  クリンカー冷却機
15  排出路
16  ロータリーキルン取り入れ室
17  ローミールライン
【図１】
0006366679.tif 000002